(57)【要約】      （修正有）【課題】保持部と支持体を一体に設けたことにより強固に構成し、構造を簡略化して強度を高めて部品数を少なくした吊下げ具を提供する。【解決手段】中心に取付口を有した保持部２２の一側に、吊下げ小物を前面に掛止させる掛止凹部を設けた支持体を一体に形成し、被取付部材の所定位置に設けた穴部と前記保持部の取付口とを合致させ、該被取付部材の裏面に当接させた大径な係止鍔４０と一体の軸部４２を前記取付口および穴部３３に回動可能に挿通し、前記保持部上に取り付ける飾頭部４６と一体に設けた複数の食込刃４７を有した圧入ピン４４を、前記軸部の先端に設けた有底状のピン孔４３内に圧入して固定する。【選択図】図４
0003159557.tif 000002
【実用新案登録請求の範囲】
【請求項１】
中心に取付口（２１、５１）を有した保持部（２２、５２）の一側外部に支持体（２３、５３）を一体に形成し、被取付部材（１）の所定位置に設けた穴部（３３）と前記保持部の取付口（２１、５１）とを合致させ、該被取付部材の裏面に当接させて大径な係止鍔（４０）を具えた受止具（４１）と一体の軸部（４２）を前記取付口および穴部（３３）に回動可能に挿通し、前記保持部に取り付ける飾頭部（４６）と複数の食込刃（４７）を有したピン軸（４４ａ）を固定した圧入ピン（４４）を、前記軸部の先端に設けた有底状のピン孔（４３）に圧入固定してなることを特徴とする吊下げ具。
【請求項２】
支持体（２３）は、底板（２０）の中心に設けた取付口（２１）の周囲に同心円状に立上壁（２２ａ）を設けた保持体（２２）の一側外部に裏面を同一にして一体に形成すると共に、前面上部に設けた取付基部（２８）に長さが相違するバネの後端をそれぞれ軸支させたバネ片（２９）の先端を開閉可能に設けた開口部（３０）に連通して内部に吊下げ小物を掛止させる掛止凹部（２５）を設けてなる請求項１記載の吊下げ具。
【請求項３】
支持体（５３）は、底板（５０）の中心に設けた取付口（５１）の周囲に同心円状に立上壁（５２ａ）を設けた保持部（５２）の一側外部に裏面を同一にして一体に形成すると共に、下部に吊下げ小物を取り付ける環状部（５５）を一体に設けてなる請求項１記載の吊下げ具。
【請求項４】
支持体（５３）は、襠ベルト（１ａ）の厚み分を吸収するために、該支持体の中間部に設けた傾斜部（５６）を介して襠部に接近するように位置させてなる下端部（５７）を設けてなる請求項３記載の吊下げ具。
【請求項５】
前記保持部及び支持体は、金属又は合成樹脂材により一体に形成して、強度を劣化させないように１または複数の空間部（２４，５３ａ）を設けてなる請求項１，２，３のいずれか１記載の吊下げ具。
【請求項６】
前記受止具（４１）は、大径な係止鍔（４０）に設けた軸部（４２）の先端中心に有底状のピン孔（４３）を設け、該受止具の軸部の先端に設けたピン孔（４３）内に圧入させるピン軸（４４ａ）の外周に設けた複数の食込刃（４７）を有したピン軸（４４ａ）の後端に設けた掛止板（４５）を内部に固定した飾頭部（４６）とピン軸（４４ａ）とを一体に形成してなる圧入ピン（４４）を、前記受止具（４１）のピン孔（４３）に圧入固定して被取付部材の穴部（３３）に回動可能に取り付けてなる請求項１記載の吊下げ具。
【考案の詳細な説明】
【技術分野】
【０００１】
本考案は、定期入れや防犯ブザーや給食袋やキーホルダーなどの吊下げ小物をランドセルの側面や肩ベルトに吊下げる吊下げ具の破損を防止して長期間使用することができるようにした改良型の吊下げ具に関するものである。
【背景技術】
【０００２】
従来、ランドセルの側面部分に位置した襠部の上方に装着してある襠ベルトやランドセルを背負う肩ベルト（以下、被取付部材という）に取り付けて、定期入れ、防犯ブザー、給食袋、キーホルダーなど（以下、吊下げ小物という）を掛止する吊下げ具には、特許文献１に示すように種々のものがある。
【０００３】
例えば、図９に示すように、ランドセルの側面に位置する襠部Ａの上方に直接、または該襠部の上部に左右水平方向に取り付けた襠ベルト１ａを介して間接に、二つ折りした保持部２を当接させ、該保持部の折曲部分に設けた支持穴３に支持軸８を回動可能に軸承し、吊下げ小物を出し入れする開口部４に開閉可能に装着したバネ片５を有する掛止部６および基部６ａを前面に有した支持体７の上部に設けた前記支持軸８を有する吊下げ具９を形成し、該支持軸を前記保持部の支持穴に回動可能に軸支させてある。さらに、該吊下げ小物の保持部２の中央に設けた貫通孔２ｂと、襠ベルトの所定位置に設けた穴部３３とを合致させてビス２ａで取り付けてある。
【０００４】
しかしながら、襠ベルト１ａに固定して取り付けた保持部２に、開口部４に開閉可能なバネ片５を有した掛止部６を具えた支持体７を前後方向に回動可能に連結してあるため、該保持部２に対して支持体７が、図９に一点鎖線で示すように時計回転方向に回動して折り曲がった状態で載置されている場合がある。
【先行技術文献】
【特許文献】
【０００５】
【特許文献１】特開２００２−５８５１６号
【考案の概要】
【考案が解決しようとする課題】
【０００６】
従来の吊下げ具９は、例えば襠ベルト１ａである被取付部材１にビス２ａを用いて取り付けた保持部２の下部に、一定の範囲、例えば、１〜１２０度位の範囲で前後方向に回動可能に支持体７を取り付けてあるため、学校や自宅に帰って背中から降ろしたランドセルを机や棚上に整理整頓のため載置してある場合に、吊下げ具の支持体７が襠ベルト１ａから立ちあがった状態において、該ランドセルの吊下げ具９に強い外力が加わったりすると、支持体７と保持部２との連結部分や該支持体又は該保持部が破損しやすいという問題点を有していた。
【０００７】
本考案は、吊下げ具を構成する保持部と支持体とを一体に形成して両者の連結部分を強化し、さらに、圧入ピンと受止具を用いて吊下げ具をランドセルの被取付部材に左右方向に回動可能に取り付けることにより、吊下げ具の保持部と支持体の連結部分に強い力が加わらないようにして該吊下げ具の破損を防止することを目的とするものである。
【課題を解決するための手段】
【０００８】
上記課題を解決するために本考案は、中心に取付口２１、５１を有した保持部２２、５２の一側外部に支持体２３、５３を一体に形成し、被取付部材１の所定位置に設けた穴部３３と前記保持部の取付口２１、５１とを合致させ、該被取付部材の裏面に当接させて大径な係止鍔４０を具えた受止具４１と一体の軸部４２を前記取付口および穴部３３に回動可能に挿通し、前記保持部に取り付ける飾頭部４６と複数の食込刃４７を有したピン軸４４ａを固定した圧入ピン４４を、前記軸部の先端に設けた有底状のピン孔４３に圧入固定してなることを特徴とする。前記支持体２３は、底板２０の中心に設けた取付口２１の周囲に同心円状に立上壁２２ａを設けた保持体２２の一側外部に裏面を同一にして一体に形成すると共に、前面上部に設けた取付基部２８に長さが相違するバネの後端をそれぞれ軸支させたバネ片２９の先端を開閉可能に設けた開口部３０に連通して内部に吊下げ小物を掛止させる掛止凹部２５を設けてなることを特徴とする。さらにまた、支持体５３は、底板５０の中心に設けた取付口５１の周囲に同心円状に立上壁５２ａを設けた保持部５２の一側外部に裏面を同一にして一体に形成すると共に、下部に吊下げ小物を取り付ける環状部５５を設けてなることを特徴とする。また、前記支持体５３は、襠ベルト１ａの厚み分を吸収するために、該支持体の中間部に設けた傾斜部５６を介して襠部に接近するように位置させてなる下端部５７を設けてなることを特徴とする。さらにまた、前記保持部及び支持体は、金属又は合成樹脂材により一体に形成して、強度を劣化させないように１または複数の空間部２４，５３ａを設けてなることを特徴とする。さたに前記受止具４１は、大径な係止鍔４０に設けた軸部４２の先端中心に有底状のピン孔４３を設け、該受止具の軸部の先端に設けたピン孔４３内に圧入させるピン軸４４ａの外周に設けた複数の食込刃４７を有したピン軸４４ａの後端に設けた掛止板４５を内部に固定した飾頭部４６とピン軸４４ａとを一体に形成してなる圧入ピン４４を、前記受止具４１のピン孔４３に圧入固定して被取付部材の穴部３３に回動可能に取り付けてなることを特徴とする。
【考案の効果】
【０００９】
吊下げ小物を掛止させるナス環等の吊下げ具は、吊下げ小物を掛止、離脱させる機能を有した支持体を前後方向に回動できる連結部分を具え、被取付部材に固定して取り付けた保持部に掛止又は離脱の操作しやすい面もある。しかし、この連結部分は可動するため強度が弱くて破損しやすかった。本考案は、保持部と支持体を一体に設けたことにより該連結部分を強固に構成し、構造を簡略化して軽量化を図ると共に、吊下げ具の強度を高めてランドセル、特に吊下げ具の故障を防止するものである。
【図面の簡単な説明】
【００１０】
【図１】本考案に係る第１の吊下げ具を示した正面図である。
【図２】図１の右側面図である。
【図３】第１の吊下げ具の一部省略した底面図である。
【図４】同吊下げ具をランドセルの肩ベルトに取り付けた状態の一部破断した要部拡大断面図である。
【図５】同吊下げ具をランドセルの肩ベルトに取り付けた状態の拡大正面図である。
【図６】本考案に係る第２の吊下げ具の正面図である。
【図７】襠ベルトに第２の吊下げ具を取り付けた状態を示す一部省略した要部拡大正面図である。
【図８】図７の矢印Ｂ−Ｂ線方向断面図である。
【図９】従来の吊下げ具を示した一部破断した側面図である。
【考案を実施するための最良の形態】
【００１１】
本考案の実施の形態を図面に基づいて説明すると、図１は本考案に係る第１の吊下げ具の正面図、図２は図１の右側面図、図３は第１の吊下げ具の一部省略した底面図、図４は同吊下げ具をランドセルの肩ベルトに取り付けた状態の一部破断した要部拡大断面図、図５は同吊下げ具をランドセルの肩ベルトに取り付けた状態の拡大正面図、図６は本考案に係る第２の吊下げ具の正面図、図７は襠ベルトに第２の吊下げ具を取り付けた状態を示す一部省略した要部拡大正面図、図８は図７の矢印Ｂ−Ｂ線方向断面図である。
【００１２】
底板２０の中心に設けた取付口２１から同心円状に立上壁２２ａを有した保持部２２を形成し、該底板２０の底面と同一面にした該保持部２２の一側外側に平坦状をした支持体２３を該保持部２２と一体に設けてある。この支持体２３は、強度を劣化させないで重量軽減及び材料節約のために、１または複数の空間部２４を形成してもよい。この支持体２３の上面略中央部分に位置させて、先端を上方に立ち上がらせた上端部２６を具えた掛止凹部２５の基部を該支持体の下部に一体に設けてある。
【００１３】
この支持体２３の前面、即ち上面に前記掛止凹部２５と対をなすように該支持体の上部に一体に設けた取付基部２８を前記保持部２２の外部に一体に形成してある。この取付基部２８は、略Ｕ字状に折り曲げて形成したバネ片２９の先端部分を、前記掛止凹部２５の上端部２６の内面に内側から開閉可能に該バネ片自体が具有するバネ圧で係止してあり、図２において、外部から矢印Ｘ方向に加わる力でバネ片２９を押し下げると開口部３０は開口されて、吊下げ小物を掛止凹部２５内に収容して掛止させることができる。
【００１４】
掛止凹部２５内に吊下げ小物を掛止させてバネ片２９の押下力が解消すると、該バネ片は自身の具有するバネ圧により矢印Ｙ方向に上昇し、前記掛止凹部の上端部２６の内面に係止して開口部３０を閉じる。さらに、前記開口部３０を介して掛止凹部２５の上端部２６と向い合せに前記支持体の前面上部に設けた取付基部２８の下端に、前記バネ片の長さの異なるバネの基部をそれぞれ軸支させ、該取付基部２８に基部をそれぞれ軸支させたバネ片２９を開閉可能に装着してある。
【００１５】
前記した底板２０と保持部２２と支持体２３と掛止凹部２５と取付基部２８とは、金属又は硬質合成樹脂材を用いて一体に形成してあり、それによって比較的軽量な吊下げ具３１を設けてある。さらに図３に示すように、底板２０の底面の中心に設けた取付口２１を形成してある。
【００１６】
次に、図４において、第１の吊下げ具３１を被取付部材１である肩ベルト１ｂに取り付ける場合について説明すると、該肩ベルトの所望位置、即ち中間部に設けた穴部３３内に、該肩ベルトの裏面側から合成樹脂製でやや大径な係止鍔４０を後部に有した受止部４１の中心に一体に設けた軸部４２を挿入する。この軸部４２の先端中央に有底状のピン孔４３を設けてあり、該ピン孔内に、金属製のピン軸４４ａを圧入して固定してある。
【００１７】
ピン軸４４ａの基端に設けた円盤など任意形状をした掛止板４５は、合成樹脂製の装飾機能を有した飾頭部４６の内部に密着させて一体に固着し、該飾頭部の底部中心からピン軸４４ａを外方に突出させて圧入ピン４４を設けてある。この飾頭部４６の底面には樹脂底面部４６ａを有してあり、前記軸部４２の先端や前記保持部２２内の底板２０に直接、または、必要に応じて該底板上に収容した合成樹脂製の座部片１９を介在させて外底板上に密着させてある。そのため、金属製の圧入ピン４４はほとんど外気に触れることがないので金属製のピン軸４４ａに錆が発生するのを防止することができる。この飾頭部４６は、吊下げ具３１の保持部２２内に収容可能な大きさに形成してある。
【００１８】
圧入ピン４４のピン軸４４ａの外周面に軸方向に複数設けた食込刃４７は、連続した螺条ではなくて個々の環状刃であって、圧入するピンの前面側を傾斜面に形成して内壁面を押し広げながら侵入し、該ピンの後面側を垂直面に形成して後退しようとすると該ピン軸４４ａの後面側の垂直面がピン孔４３の内壁面に食い込んで後退できずに固定する作用を有する。
【００１９】
この保持部２２と支持体２３は一体に形成して構造を強化し、被取付部材である肩ベルト１ｂの所望箇所に設けた穴部３３内に挿通してある軸部４２を支点にして該吊下げ具３１を左右方向にゆっくり回動できるようにやや硬く軸支してある。そのため、図５において矢印Ｍ方向に力が加わった場合、保持部２２が襠ベルトに固着されていて回動することができない場合には、保持部と支持体との連結部分に大きな力が加わり破断するおそれがあった。
【００２０】
しかし、本考案においては、上下方向に垂直に位置した吊下げ具３１に横方向や斜め下方から強い力が加わると、吊下げ具３１は軸部４２を中心にして引張力の方向に対してほぼ一直線になるように回動することができるため、保持部２２と支持体２３の連結部分に力が集中しないため、該吊下げ具の破損を防止することができる利点を有する。
【００２１】
次に、金属又は硬質合成樹脂材で形成した第２の吊下げ具３１ａについて説明すると、図６〜８において、底板５０の中心に設けた取付口５１から同心円状に立ち上がらせて形成した立上壁５２ａを有した保持部５２を形成し、該保持部の一側外側に底面を同一にして一体に形成した支持体５３の中間部分に必要に応じて強化用の連結板５４を設け、該連結板の下側に吊下げ小物を取り付けるための環状部５５を形成してある。この支持体５３は、強度を劣化させることなく重量軽減及び材料節約のために、必要に応じて１または複数の空間部５３ａを形成してもよい。
【００２２】
環状部５５は、略環状をしていて支持体５３と一体に形成してあり、吊下げ紐などで結んだりして取り付けることができるが、吊下げ紐等の端部に取り付けたリング等を取り付けることはできない。
【００２３】
支持体５３の下面には必要に応じて被取付部材１である襠ベルト１ａの厚み分を吸収するため、該支持体の中間部に設けた傾斜部５６を介して一段低い位置に、前記保持部５２の底面と略平行な下端部５７をランドセルの襠部Ａに略接するように位置させてあるが、傾斜部５６を設けずに全体を平板状に形成して襠部Ａからやや離れた状態で使用することも可能である。
【００２４】
図７，８に示すように、ランドセルの両側面に位置する襠部の上方を横切る方向に装着した細巾の襠ベルト１ａに吊下げ具３１ａを取り付けるために、やや大径な飾頭部４６を有した圧入ピン４４を第２の吊下げ具３１ａの保持部５２内に収容し、該襠ベルト１ａに設けた穴部３３内に、該襠ベルトの裏面側からやや大径な係止鍔４０を有した受止具４１の軸部４２を挿入し、該軸部の先端中心に設けた有底状のピン孔４３内に、前記圧入ピン４４を圧入して固定させるものである。
【００２５】
この襠ベルト１ａの外側表面に、必要に応じて断面コ字型をして中心に貫通孔６０を有した座部板５９を取り付け、該吊下げ具３１ａの取付口５１と襠ベルトに穿った穴部３３と、前記座部板の挿通口６０を合致させ、受止具４１と圧入ピン４４を圧入固定して、該吊下げ具を襠ベルト１ａに取り付けてある。この襠ベルト１ａに取り付けた第２の吊下げ具３１ａは、保持部２と支持体７とが一体であるからその連結部分は強度を有しており、さらに襠ベルトの軸部で軸支してあるため回動することができる。
【００２６】
之に対し、従来の保持部２は、襠ベルト等の被取部材１に固定しているのに対し、本考案の保持部は固定しておらずに左右方向に回動することができるため、横方向や斜め方向から力が加わると、軸部を支点にして吊下げ具３１は回動することができる構造であるから、支持体５３と保持部５２との連結部分に無理な力が加わらないようにして、力を分散させて破損を防止することができる作用を有する。
【００２７】
第１の吊下げ具３１および第２の吊下げ具３１ａは、被取付部材１である肩ベルト１ｂに取り付けることもできるし、また襠ベルト１ａに取り付けることもできる。さらに、襠ベルト１ａに、第１の吊下げ具および第２の吊下げ具を取り付けてもよいし、また、該襠ベルトに、第１、２の吊下げ具を同時に二つ取り付けて使用することも可能である。
【符号の説明】
【００２８】
１      被取付部材
１ａ    襠ベルト
１ｂ    肩ベルト
２０    底板
２１    取付口
２２    保持部
２２ａ  立上壁
２３    支持体
２４    空間部
２５    掛止凹部
２８    取付基部
２９    バネ片
３０    開口部
３１    吊下げ具
３１ａ  吊下げ具
３３    穴部
４０    係止鍔
４１    受止具
４２    軸部
４３    ピン孔
４４    圧入ピン
４４ａ  ピン軸
４５    掛止板
４６    飾頭部
４７    食込刃
５０    底板
５１    取付口
５２    保持部
５３    支持体
５５    環状部
【図１】
0003159557.tif 000003
【図２】
0003159557.tif 000004
【図３】
0003159557.tif 000005
【図４】
0003159557.tif 000006
【図５】
0003159557.tif 000007
【図６】
0003159557.tif 000008
【図７】
0003159557.tif 000009
【図８】
0003159557.tif 000010
【図９】
0003159557.tif 000011
【手続補正書】
【提出日】平成22年3月24日(2010.3.24)
【手続補正１】
【補正対象書類名】実用新案登録請求の範囲
【補正対象項目名】請求項２
【補正方法】変更
【補正の内容】
【請求項２】
支持体（２３）は、底板（２０）の中心に設けた取付口（２１）の周囲に同心円状に立上壁（２２ａ）を設けた保持部（２２）の一側外部に裏面を同一にして一体に形成すると共に、前面上部に設けた取付基部（２８）に長さが相違するバネの後端をそれぞれ軸支させたバネ片（２９）の先端を開閉可能に設けた開口部（３０）に連通して内部に吊下げ小物を掛止させる掛止凹部（２５）を設けてなる請求項１記載の吊下げ具。